(57)【要約】本発明は吸音パネルに関し、一般的に、低音領域の音波を吸収して相殺する振動型吸音パネルの構造を改善して、より高い吸音効果を有する吸音パネルを提供するために、底面は開放され、下部終端が外側に所定の長さに延長されるリブが形成される本体と、前記本体の上面に一定の図形を形成して下部に行くほど幅が小さくなるテーパ形状の凹部が形成され、この終端に貫通された吸音孔とが形成されていることを特徴とする吸音パネルに関する。
2008544119.tif 000002
【特許請求の範囲】
【請求項１】
底面は開放され、下部終端が外側に所定の長さに延長されるリブ（１１）が形成されている本体（１）と、前記本体（１）の上面に一定の図形を形成して下部に行くほど幅が小さくなるテーパ形状の凹部が形成され、この終端に貫通された吸音孔とが形成されていることを特徴とする吸音パネル。
【請求項２】
前記吸音孔（２）は、上部にテーパ形状のテーパ部（２１）と、下部に同一の断面を有するように延長される直角部（２２）とで構成されることを特徴とする請求項１に記載の吸音パネル。
【請求項３】
前記吸音孔（２）を有する本体１の上面は、一定の色と模様を有するシートコーティング層（１２）が形成されることを特徴とする請求項１または請求項２に記載の吸音パネル。
【請求項４】
前記吸音孔（２）は、正六角形の断面を有することを特徴とする請求項１ないし３のいずれか一項に記載の吸音パネル。
【請求項５】
前記吸音孔（２）は、正四角形の断面を有することを特徴とする請求項１ないし３のいずれか一項に記載の吸音パネル。
【請求項６】
前記吸音孔（２）は、正八角形の断面を有することを特徴とする請求項１ないし３のいずれか一項に記載の吸音パネル。
【発明の詳細な説明】
【技術分野】
【０００１】
本発明は吸音パネルに関し、より詳細には、表面に形成された屈曲と吸音孔によって音を反射及び吸収・相殺して消滅させる、吸音パネルの構造を改善して吸音効果を向上させた吸音パネルに関する。
【背景技術】
【０００２】
吸音は、音波が材料面に到逹したとき、反射などによって材料の振動エネルギーまたは熱エネルギーに変化して音が消滅することを意味する。
このような吸音は、従来は、公演場、劇場、放送室などで主に利用され、利用範囲が狭かったが、最近は、産業的な用途及び各種文化生活の用途として使用されるだけでなく、一般家庭でも吸音材料への関心が高まっている。
【０００３】
このような吸音材料は、多孔性の材料、すなわち、ガラス繊維や石綿を用いたものと、各種発泡樹脂などからなり、音が入ると気孔内の空気粒子の粘性または気孔面との摩擦によって熱エネルギーに変化させるものと、薄板に音が入射すると、板の振動によって吸収されるようにする板振動吸音材、及び一定の空洞に空気が入り空気の前後振動によって吸収されるようにする共鳴型吸音材とに大きく分けることができる。
【０００４】
このとき、多孔性の材料からなる吸音材は、低い周波領域を有する低音の吸音率は劣るが、中音及び高音の吸音率は優れている。共鳴型吸音材は、低音の吸音率が非常に優れている。
【０００５】
そこで、韓国特許出願第１０−２００４−００６４２１７号の「防音パネル及びこのための防音板」において、表面に複数の一定形状の孔を貫通させて共鳴型及び多孔性材料の特性を利用した吸音材料が開示されている。
【０００６】
図４は、従来の吸音パネルを示す概念図で、本体３に形成された吸音孔３１により音波４が入射されると、内部で反復される乱反射と本体の共鳴により音波が吸収されるようになる。
【０００７】
しかし、このような吸音材料は、本体の上面を通じて反射される音波の量が非常に多く、また、乱反射されて再び外部に発する音波の量も少なくないなど、効率が悪いという問題点がある。
【０００８】
また、このような構成は、多孔性の材料の表面に吸音孔３１を形成するもので、パンネルの表面が非常に粗くなり、多孔の粒子の間に空気中の多くの粉塵が堆積するため吸音効率が低下し、また、これによる室内の２次汚染をもたらすという問題点もある。
【０００９】
また、通常低音から高音の順で音が相殺されるのが一般的であるので、前記例において、中音素材として主に使用されるガラス繊維や石綿からなるパネルに吸音孔３１を形成することが最も効果的である。しかし、このような材料は人体に致命的に有害な影響を与える場合があるので事実上使用が不可能である。
【００１０】
そこで、一般高音を吸音するのに使用される発泡性樹脂または不織布などを使用して吸音孔３１を形成しており、このため、広い領域の音波を均一に吸音することができないという問題点を有する。
【発明の開示】
【発明が解決しようとする課題】
【００１１】
そこで、本発明は上記従来の問題点に鑑みてなされたものであって、本発明の目的は、より優れた吸音能力を有する吸音パネルを提供することである。
また、吸音パネルの材料を人体に有害な影響を与えるガラス繊維や石綿を使用せず、環境親和的な吸音パネルを提供することにその目的がある。
【００１２】
複数の方向からの音波にも効果的に吸収吸音することができる吸音パネルを提供することにその目的がある。
【課題を解決するための手段】
【００１３】
上記目的を達成するためになされた本発明は、底面が開放され、下部終端は外側に所定の長さに延長されるリブが形成される本体と、前記本体の上面に一定の図形を形成して下部に行くほど幅が小さくなるテーパ形状の凹部が形成され、この終端に貫通された吸音孔とが形成されていることを特徴とする吸音パネルを提供する。
【発明を実施するための最良の形態】
【００１４】
添付した図面を用いながら、本発明の実施形態を、本発明が属する技術分野における通常の知識を有する者が容易に実施することができるように詳細に説明する。
図１は、本発明の一実施例による斜視図である。図２は、本発明の一実施例による部分断面図で、底面が開放され、下部終端は外側に所定の長さ延長されるリブ１１が形成される本体１と、前記本体１の上面に一定の図形を形成して下部に行くほど幅が狭くなるテーパ形状の凹部を有し、この終端には貫通された吸音孔２を形成して、前記吸音孔２を通じて進入した音波が内部で相殺されるようにしている。
【００１５】
これは従来の単純な孔と比べると、ラッパ管状の吸音孔２を通じてより多くの音波を吸収するようにし、吸収された音波は、底面に隣接する発泡性樹脂からなる吸音ボード及び隣接する吸音孔２の間の空間で振動及び熱エネルギーで相殺されて消滅する。
【００１６】
また、このような吸音パネルの材料としては、一般的に、衝撃や熱に強い耐性を有し、外観が良いので、自動車の内外装材、ヘルメットなどの部品として使われるＡＢＳ樹脂に自己消化性を与えて火に強くした難燃ＡＢＳ樹脂が使用される。
【００１７】
このような難燃ＡＢＳ樹脂は、引張強度及び屈曲強度に優れていて薄い厚さでも堅固な製品を作ることができるので、前記吸音パネルの材料として好ましく使用できる。
これは吸音孔２による吸音効果とともに薄く製造できるので、振動による音の吸収効果が高く、堅固に維持できるという特性がある。
【００１８】
また、本発明において、前記吸音孔２は、上部はテーパ状のテーパ部２１と、下部には同一の断面を有するように延長される直角部２２とで構成されており、反射された音波を最小にし、製造時には吸音孔が塞がった状態で成形した後に端部を切断するようにして、容易に均一な吸音孔２を形成することができるという特性がある。
【００１９】
また、前記吸音孔の形状は、正四角形、正八角形、正三角形など多様な形状に形成することができ、さらに、これらを混合した形状にしてもよい。
図面には、正六角形の吸音孔２が示されているが、このような正六角形の場合、隣接する吸音孔２との間を最大に減らすことができる状態で音波の反射面を６個有することになるので、乱反射による減殺効果が高いという効果がある。
【００２０】
また、使用者は吸音パネルの表面をシートでコーティングしたシートコーティング層１２を形成し、色及び光沢を調節して美しくすることができ、必要に応じて、絵や図形を形成することも可能である。
【００２１】
図３は、本発明の一実施例による概念図で、内部に進入した音波が複数方向から反射される状態を示す。
すなわち、進入した音波は、複数の反射経路を通じて吸音孔２の間に形成される空間部に乱反射しながら本体１の振動エネルギー及び摩擦エネルギーなどにより、特に低周波領域の低音が相殺されるようにする共鳴器の役割をする。
【産業上の利用の可能性】
【００２２】
このように、本発明によれば、薄板の形態に提供され、板振動及び共鳴による吸音が同時に行われるようにして、より優れた吸音能力を有する効果が得られる。
また、吸音パネルの材料を人体に有害なガラス繊維や石綿を使用しないので環境親和的である。
【００２３】
テーパ形状の吸音孔により、複数の方向からの音波も効果的に吸収できるという効果が得られる。
【図面の簡単な説明】
【００２４】
【図１】本発明の一実施例による斜視図である。
【図２】本発明の一実施例による部分断面図である。
【図３】本発明の一実施例による概念図である。
【図４】従来の吸音パネルを示す概念図である。
【符号の説明】
【００２５】
１…本体
１１…リブ
１２…シートコーティング層
２…吸音孔
２１…テーパ部
２２…直角部
３…本体
３１…吸音孔
【図１】
2008544119.tif 000003
【図２】
2008544119.tif 000004
【図３】
2008544119.tif 000005
【図４】
2008544119.tif 000006
【国際調査報告】
2008544119.tif 000007
2008544119.tif 000008